(57)【特許請求の範囲】
【請求項１】
断熱用発泡体に設けられた取手を把持するための補助取手であって、
本体板部と、
該本体板部の同一面から突出してかつ互いに離間して配された一対の側板部と、
を備えて断面略コ字状に形成され、
前記一対の側板部の少なくとも先端間の距離が、前記取手の幅方向長さよりも短く形成され、
前記一対の側板部が、前記本体板部の両端よりも内側に接続されて、前記一対の側板部よりも幅方向外側に突出した前記本体板部の両端が把持部とされ、
前記本体板部及び前記一対の側板部の少なくとも一方が弾性変形して前記取手に係脱されることを特徴とする補助取手。
【請求項２】
前記本体板部に対する前記一対の側板部の少なくとも一方の取り付け角度が、互いに対向する側において９０度未満であることを特徴とする請求項１に記載の補助取手。
【請求項３】
前記本体板部が、幅方向及びこれに直交する長手方向を有し、
前記一対の側板部が、前記本体板部の幅方向に離間して、かつ長手方向に延びて前記本体板部に配されていることを特徴とする請求項１又は２に記載の補助取手。
【請求項４】
前記本体板部の長手方向の長さが、前記一対の側板部の長手方向の長さよりも長いことを特徴とする請求項３に記載の補助取手。
【請求項５】
前記断熱発泡体よりも硬質の材料からなることを特徴とする請求項１から４の何れか一つに記載の補助取手。
【請求項６】
前記一対の側板部の互いに対向する面に、突起が設けられていることを特徴とする請求項５に記載の補助取手。
【請求項７】
前記本体板部が、前記一対の側板部が突出する方向と反対側に突出するよう湾曲して形成されていることを特徴とする請求項１から６の何れか一つに記載の補助取手。
【請求項８】
前記本体板部の前記同一面と前記一対の側板部の互いに対向する両面との三つの面のうちの少なくとも一つに両面テープが設けられていることを特徴とする請求項１から７の何れか一つに記載の補助取手。
【発明の詳細な説明】
【技術分野】
【０００１】
本発明は、断熱用発泡体に設けられた取手を把持する際に使用する補助取手に関する。
【背景技術】
【０００２】
断熱気密型の天井又は床下点検口や、床下収納庫等は、部屋の天井面又は床面に開口して設けられている。そこで、開口部分における室内外の断熱性を確保するため、開口部には外蓋とともに断熱内蓋が設置されている。この断熱内蓋は、通常、ポリスチレンフォーム等の断熱性を有する発泡体からなり、表面に取手として凹凸部分が形成された成型品として構成されている（例えば、特許文献１参照。）。このような断熱用発泡体は、外蓋と個別に開閉されるように配されるものだけでなく、外蓋と一体に配されたものも提案されている（例えば、特許文献２参照。）。
【特許文献１】特開平０９−２２２２８０号公報
【特許文献２】特開２００７−９５５１号公報
【発明の開示】
【発明が解決しようとする課題】
【０００３】
しかしながら、上記特許文献１に記載の発明の場合であっても、断熱用発泡体の取手を直接掴んで開閉するため、断熱用発泡体の取手部分が滑りやすく、断熱用発泡体の開閉には十分な握力が必要となり、握力の弱い子供や女性では開閉操作に困難な場合がある。また、爪が長い場合には取手に爪が当たって開閉が困難な場合がある。
【０００４】
さらに、上記特許文献２に記載の発明の場合、断熱用発泡体が外蓋のケースで保護されることから、外蓋構造が複雑かつ重くなり、製造や取扱いが困難になる。
【０００５】
本発明は上記事情に鑑みて成されたものであり、簡単な構成でも断熱用発泡体の開閉操作を容易に行うことができる補助取手を提供することを目的とする。
【課題を解決するための手段】
【０００６】
本発明は、上記課題を解決するため、以下の手段を採用する。
本発明に係る補助取手は、断熱用発泡体に設けられた取手を把持するための補助取手であって、本体板部と、該本体板部の同一面から突出してかつ互いに離間して配された一対の側板部と、を備えて断面略コ字状に形成され、前記一対の側板部の少なくとも先端間の距離が、前記取手の幅方向長さよりも短く形成され、前記一対の側板部が、前記本体板部の両端よりも内側に接続されて、前記一対の側板部よりも幅方向外側に突出した前記本体板部の両端が把持部とされ、前記本体板部及び前記一対の側板部の少なくとも一方が弾性変形して前記取手に係脱されることを特徴とする。
【０００７】
この補助取手は、一対の側板部間で取手を挟持するようにして断熱用発泡体に着脱可能に取り付けることができる。
さらに、この補助取手は、一対の側板部間を広げるようにしてから取手に装着される。そのため、取手との間で取手を直接把持する場合よりも大きな摩擦力を発生させることができる。
したがって、取手を直接把持する場合と同じ把持力であっても断熱発泡体を容易に移動させることができる。
また、本体板部の幅方向の周縁部に指を掛けることができ、つかみやすく、より安定して断熱発泡体を把持することができる。
【００１０】
また、本発明に係る補助取手は、前記補助取手であって、前記本体板部に対する前記一対の側板部の少なくとも一方の取り付け角度が、互いに対向する側において９０度未満であることを特徴とする。
【００１１】
この補助取手は、取手への装着時に一対の側板部と取手との間でより大きな摩擦力を好適に発生させることができる。
【００１２】
また、本発明に係る補助取手は、前記補助取手であって、前記本体板部が、幅方向及びこれに直交する長手方向を有し、前記一対の側板部が、前記本体板部の幅方向に離間して、かつ長手方向に延びて前記本体板部に配されていることを特徴とする。
【００１３】
この補助取手は、取手と一対の側板部との接触面積を大きく確保することができ、より安定して断熱発泡体を把持することができる。
【００１４】
また、本発明に係る補助取手は、前記補助取手であって、前記一対の側板部が、前記本体板部の幅方向両端よりも内側に接続されていることを特徴とする。
【００１６】
また、本発明に係る補助取手は、前記補助取手であって、前記本体板部の長手方向の長さが、前記一対の側板部の長手方向の長さよりも長いことを特徴とする。
【００１７】
この補助取手は、断熱発泡体の押し込み操作時に断熱発泡体にかかる応力を分散することができ、断熱発泡体の耐久性を向上させることができる。
【００１８】
また、本発明に係る補助取手は、前記補助取手であって、前記断熱発泡体よりも硬質の材料からなることを特徴とする。
【００１９】
この補助取手は、一対の側板部で取手を押圧変形させながら装着させることができ、取手との摩擦力を向上して取手との固定力をより好適に向上させることができる。
【００２０】
また、本発明に係る補助取手は、前記補助取手であって、前記一対の側板部の互いに対向する面に、突起が設けられていることを特徴とする。
【００２１】
この補助取手は、突起を取手に食い込ませることができ、取手との固定力をより好適に向上させることができる。
【００２２】
また、本発明に係る補助取手は、前記補助取手であって、前記本体板部が、前記一対の側板部が突出する方向と反対側に突出するよう湾曲して形成されていることを特徴とする。
【００２３】
この補助取手は、一対の側板部の先端側が互いに接近する方向に曲がりやすく、かつ一対の側板部の先端側が離隔する方向には曲がりにくいので、取手を把持し易くなるだけでなく、取手との固定力を向上させることができる。
【００２４】
また、本発明に係る補助取手は、前記本体板部の前記同一面と前記一対の側板部の互いに対向する両面との三つの面のうちの少なくとも一つに両面テープが設けられていることを特徴とする。
【００２５】
この補助取手は、一対の側板部間で取手を挟持するようにして固定されるだけでなく、両面テープによっても固定されることから、取手に対する固定力を増大させることができる。
【発明の効果】
【００２６】
本発明によれば、簡単な構成でも断熱用発泡体の開閉操作を容易に行うことができる。
【発明を実施するための最良の形態】
【００２７】
本発明に係る第１の実施形態について、図１から図８を参照して説明する。
本実施形態に係る補助取手１は、図１及び図２に示すように、断熱用発泡体Ｂの表面の一部に設けられた取手Ｈ（図４に示す）を把持するためのものである。そして、幅方向Ｗ及びこれに直交する長手方向Ｌを有する本体板部２と、本体板部２の同一面（裏面）２ａ側から突出してかつ互いに離間して配された一対の側板部３Ａ，３Ｂと、を備えて断面略コ字状（Ｕ字状）に形成されている。そして、本体板部２及び一対の側板部３Ａ，３Ｂの少なくとも一方が弾性変形して取手Ｈに係脱される。
【００２８】
断熱用発泡体Ｂは、図４に示すように、例えば、ポリスチレンフォームからなり、表面には略平行に並んで一対の凹部Ｂ１，Ｂ２が所定間隔に離間して設けられている。この一対の凹部Ｂ１，Ｂ２を仕切る部分が取手Ｈとなっている。
【００２９】
本体板部２及び一対の側板部３Ａ，３Ｂは、例えばポリプロピレン又はポリアセタールといった硬質プラスチックにより一体に成型されている。なお、構成材料は、本体板部２及び一対の側板部３Ａ，３Ｂの少なくとも一方を、人が弾性変形させて取手Ｈに係脱させることができる程度に、断熱用発泡体Ｂよりも硬質であればよく、他の樹脂や、木材又は金属でもよい。
【００３０】
また、図１に示すように、本体板部２の長手方向Ｌの両端の短辺部２ｂは、緩やかな曲線状に形成されている。また、本体板部２は、図３に示すように、一対の側板部３Ａ，３Ｂが突出する方向とは反対側に、所定の曲率を有するＲ形状に湾曲して形成されている。なお、本体板部は、必ずしも湾曲している必要はなく、平板状でも構わない。
【００３１】
一対の側板部３Ａ，３Ｂは、本体板部２の長手方向Ｌに延びて矩形板状に形成され、本体板部２の幅方向Ｗに所定距離で離間して、かつ本体板部２の幅方向Ｗ両端よりも内側に接して配されている。すなわち、本体板部２の幅方向Ｗ両端は、把持部５として一対の側板部３Ａ，３Ｂよりも突出した状態になっている。
【００３２】
一対の側板部３Ａ，３Ｂの先端間の離隔距離Ｌ１は、取手Ｈの幅方向長さ、すなわち、一対の凹部Ｂ１，Ｂ２間の距離Ｌ２（図４に示す）よりも短くなるように配されている。なお、本体板部２及び一対の側板部３Ａ，３Ｂの板厚は均一である必要はなく、取手Ｈとの係脱の際に変形しやすいように異なっていても構わない。
【００３３】
また、本体板部２に対する一対の側板部３Ａ，３Ｂの取り付け角度θは、互いに対向する側において９０度未満となっている。なお、本体板部２と一対の側板部３Ａ，３Ｂとの接続部分となる、一対の側板部３Ａ，３Ｂの基部間の距離Ｌ３は、取手Ｈの幅方向長さＬ２より長くても構わない。また、一対の側板部３Ａ，３Ｂのうちの何れか一方のみの取り付け角度θが、９０度未満であってもよい。
【００３４】
本体板部２の長手方向Ｌの長さＬ４（図４に示す）は、一対の側板部３Ａ，３Ｂの長手方向の長さＬ５よりも長くなるように形成されている。すなわち、本体板部２の長手方向Ｌの両端部は、側板部３Ａ，３Ｂに対して長手方向Ｌに突出する突出部７となっている。
【００３５】
次に、本実施形態に係る補助取手１の使用方法を、図５から図８をさらに参照しながら説明する。
まず、図５に示すように、距離Ｌ１が距離Ｌ２以上になるまで本体板部２及び一対の側板部３Ａ，３Ｂを弾性変形させて、一対の側板部３Ａ，３Ｂの先端側を離隔させていく。
【００３６】
このとき、本体板部２は湾曲状態から平面状態に弾性変形して、一対の側板部３Ａ，３Ｂが略平行状態となる。この状態のまま、一対の側板部３Ａ，３Ｂ間に断熱用発泡体Ｂの取手Ｈを配するようにして、図６及び図７に示すように、補助取手１を取手Ｈに装着する。
【００３７】
このとき、もともとＬ１＜Ｌ２であったものが変形してＬ１≧Ｌ２となったので、本体板部２には復元力が生じて、一対の側板部３Ａ，３Ｂが互いに対向する方向から取手Ｈを押圧して挟持する。そのため、補助取手１と取手Ｈとの間には、補助取手１を介さずに直接把持する場合よりも大きな摩擦力が発生する。
【００３８】
さらに、断熱用発泡体Ｂを持ち上げる場合、図８に示すように、一対の側板部３Ａ，３Ｂに対して本体板部２の幅方向Ｗに突出した把持部５を把持して、断熱用発泡体Ｂを持ち上げる。
【００３９】
一方、取手Ｈに取り付けられた補助取手１を取り外すときは、側板部３Ａ，３Ｂを離隔させて、上記と反対の作用により、補助取手１が外される。
【００４０】
この補助取手１によれば、本体板部２と、一対の側板部３Ａ，３Ｂと、を備えて断面略コ字状に形成され、本体板部２及び一対の側板部３Ａ，３Ｂの少なくとも一方が弾性変形して取手Ｈに係脱される。そのため、このとき生じる復元力によって一対の側板部３Ａ，３Ｂ間で取手Ｈを挟持するようにして、断熱用発泡体Ｂに着脱可能に取り付けることができる。したがって、取手Ｈの把持を容易にすることができるだけでなく、取手Ｈと側板部３Ａ，３Ｂとの間で、より大きな摩擦力を発生させることができ、そのため、簡単な構成でも断熱用発泡体Ｂの開閉操作を容易に行うことができる
【００４１】
このとき、補助取手１が断熱用発泡体Ｂよりも硬質の材料からなるので、一対の側板部３Ａ，３Ｂで取手Ｈを押圧変形させながら（取手Ｈにめり込ませながら）装着させることができ、取手Ｈとの摩擦力を向上させることができる。
【００４２】
特に、一対の側板部３Ａ，３Ｂの先端間の距離Ｌ１が、取手Ｈの幅方向長さＬ２よりも短くなっている。そのため、一対の側板部３Ａ，３Ｂ間を広げるようにして取手Ｈに装着することによって大きな復元力が生じ、取手Ｈとの間で取手Ｈを直接把持する場合よりも大きな摩擦力を発生させることができる。その結果、取手Ｈを直接把持する場合と同じ把持力であっても断熱用発泡体Ｂを容易に移動することができる。
【００４３】
また、本体板部２に対する一対の側板部３Ａ，３Ｂの取り付け角度θが、互いに対向する側で９０度未満となっている。そのため、取手Ｈへの装着時にＬ１≧Ｌ２とするためには、一対の側板部３Ａ，３Ｂ間をより離隔させる必要がある。したがって、一対の側板部３Ａ，３Ｂを取手Ｈに装着した際に、両者の間に大きな摩擦力を好適に発生させることができる。
【００４４】
さらに、一対の側板部３Ａ，３Ｂが、本体板部２の幅方向Ｗに離間して、かつ長手方向Ｌに延びて本体板部２に配されている。そのため、取手Ｈと一対の側板部３Ａ，３Ｂとの接触面積を大きく確保することができ、大きな摩擦力を生じてより安定して断熱用発泡体Ｂを把持することができる。
【００４５】
また、一対の側板部３Ａ，３Ｂが、本体板部２の幅方向Ｗ両端よりも内側に接続されているので、本体板部２の幅方向Ｗの両端部分が一対の側板部３Ａ，３Ｂよりも外側に突出したようになる。したがって、この部分（把持部５）に指を掛けることができ、爪が取手Ｈに引っかかることなく掴み易く、より安定して断熱用発泡体Ｂを把持することができる。
【００４６】
また、本体板部２の長手方向Ｌの長さが、一対の側板部３Ａ，３Ｂの長手方向の長さよりも長く、突出部７が設けられていることから、補助取手１の装着の際、断熱用発泡体Ｂの取手Ｈへの押し込み操作時に断熱発泡体Ｂにかかる応力を長手方向Ｌに分散させることができ、断熱発泡体Ｂの耐久性を向上させることができる。
【００４７】
また、本体板部２が、一対の側板部３Ａ，３Ｂの突出方向と反対側に突出するように湾曲して形成されていることから、一対の側板部３Ａ，３Ｂの先端側が互いに接近する方向に曲がり易くなる。そのため、側板部３Ａ，３Ｂを把持するときに、側板部３Ａ，３Ｂが互いに接近する方向に本体板部２を弾性変形し易くすることができ、取手Ｈを容易に把持することができる。また、本体板部２が湾曲して形成されていることから、側板部３Ａ，３Ｂが互いに離隔する方向には、本体板部２を曲がり難くすることができる。そのため、補助取手１を取手Ｈに装着したとき、補助取手１と取手Ｈとの固定力をより好適に向上させることができる。
【００４８】
次に、第２の実施形態について図９を参照しながら説明する。
なお、上述した第１の実施形態と同様の構成要素には同一符号を付すとともに説明を省略する。
第２の実施形態と第１の実施形態との異なる点は、本実施形態に係る補助取手１０の一対の側板部３Ａ，３Ｂにおける互いに対向する面に、突起１１がそれぞれ設けられているとした点である。
【００４９】
この突起１１は、取手Ｈへの装着の際、取手Ｈへ食い込むことによって、一対の側板部３Ａ，３Ｂの突起１１周囲の領域と取手Ｈとが面接触して十分な摩擦力が確保される。なお、突起１１の設置数は、一つでもよいし、長手方向Ｌ又は側板部３Ａ，３Ｂの高さ方向に複数でもよい。また突起１１は、長手方向Ｌに部分的に設けられていてもよいし、長手方向Ｌの全長にわたって延ばされていてもよい。
【００５０】
この補助取手１によれば、取手Ｈへの装着の際、突起１１を取手Ｈに食い込ませることができ、取手Ｈとの固定力をより好適に向上させることができる。
【００５１】
なお、本発明の技術範囲は上記実施の形態に限定されるものではなく、本発明の趣旨を逸脱しない範囲において種々の変更を加えることが可能である。
例えば、一対の側板部３Ａ，３Ｂが、本体板部２の幅方向Ｗでなく長手方向Ｌに、互いに離間した状態で配されていてもよい。
【００５２】
また、一対の側板部は平面状である必要はなく、曲面状であっても、途中に段差が設けられていてもよい。
また、補助取手１の取手Ｈに対する固定力を増大させるために、両面テープや断熱用発泡体が侵食されない溶剤（アルコール系）の接着剤などにより、補助取手１と取手Ｈとを接着してもよい。すなわち、本体板部２の裏面２ａ、側板部３Ａ又は側板部３Ｂの内面の三つの領域のうち少なくともいずれかに、両面テープや接着剤を設けることにより、補助取手１の取手Ｈに対する固定力を増大させることができる。例えば、図１０に示すように、本体板部２の裏面２ａに、一対の両面テープ２０を設けることができる。これら一対の両面テープ２０は、本体板部２の長手方向Ｌの両端部にわたって平行に延ばされている。また、両面テープ２０は、幅方向Ｗに対向して配置されている。これにより、裏面２ａと取手Ｈの上面とを接着することができ、補助取手１の取手Ｈに対する固定力を増大させることができる。
【図面の簡単な説明】
【００５３】
【図１】本発明の第１の実施形態に係る補助取手を示す斜視図である。
【図２】本発明の第１の実施形態に係る補助取手の側面図である。
【図３】図１のＩ−Ｉ断面図である。
【図４】本発明の第１の実施形態に係る補助取手と取手との寸法関係を示す説明図である。
【図５】本発明の第１の実施形態に係る補助取手を取手に装着する際の説明図である。
【図６】本発明の第１の実施形態に係る補助取手を取手に装着する際の説明図である。
【図７】本発明の第１の実施形態に係る補助取手を取手に装着する際の説明図である。
【図８】本発明の第１の実施形態に係る補助取手を取手に装着して持ち上げる際の説明図である。
【図９】本発明の第２の実施形態に係る補助取手の図３に相当する断面図である。
【図１０】本発明の変形例を示す斜視図である。
【符号の説明】
【００５４】
１，１０  補助取手
２  本体板部
３Ａ，３Ｂ  一対の側板部
１１  突起
【図１】
0005264202.tif 000002
【図２】
0005264202.tif 000003
【図３】
0005264202.tif 000004
【図４】
0005264202.tif 000005
【図５】
0005264202.tif 000006
【図６】
0005264202.tif 000007
【図７】
0005264202.tif 000008
【図８】
0005264202.tif 000009
【図９】
0005264202.tif 000010
【図１０】
0005264202.tif 000011